(57)【要約】【課題】アダプタ装置を用いて水栓を取付基体の表面側から取付基体に且つ回転方向に強固に取り付けることができるとともに、アダプタ装置自体の取付作業性も良好な物品の取付方法を提供する。【解決手段】ホルダ３２をアダプタ本体３０に挿通した１本の雄ねじ部材３４にねじ結合して保持させておき、その状態でホルダ３２を傾けて水栓の取付穴２４に表面側から裏面側に通した後、ホルダ３２をロックナット６８の働きで雄ねじ部材３４と一体回転させる。そして位置決め手段としての弾性クリップ６６にてホルダ３２の回転位置を規定し、他方の雄ねじ部材を雌ねじ孔６４に螺合する。その後一対の雄ねじ部材を強く締め込んでアダプタ本体３０とホルダ３２とでカウンター１２を表裏両側から挟み込む状態に固定し、その後にそしてアダプタ本体３０に水栓を連結固定する。【選択図】        図９
2006090128.tif 000002
【特許請求の範囲】
【請求項１】
（イ）物品を取り付けるべき取付基体の取付面上に配置されるアダプタ本体と、（ロ）該取付基体の裏面に重なるように配置され、該アダプタ本体と協働して該取付基体を表裏両側から挾み込むホルダと、（ハ）該取付穴を挿通して該アダプタ本体とホルダとをねじ締結し、それらアダプタ本体及びホルダによる該取付基体の締付力を与える雄ねじ部材と、を含むアダプタ装置を該取付基体に装着し、該アダプタ本体に対して前記物品を連結固定することで前記取付面上に該物品を取り付けるに際して、
前記ホルダを前記取付穴に対し前記取付基体の表側から裏側に通過可能な形状となしておき、先ず１本の雄ねじ部材を該ホルダに設けてある雌ねじ孔に螺合するとともに、該雄ねじ部材に加えられた回転操作力を該ホルダに伝える共回り手段にて互いに一体回転する状態で該ホルダを該雄ねじ部材にて保持した状態となし、その状態で該ホルダを該取付穴に通過可能な状態として前記取付基体の表側から裏側まで該取付穴に通し、その後に前記雄ねじ部材を回転操作することにより該ホルダを強制的に該ホルダに設けてある他の雌ねじ孔が他の該雄ねじ部材に対して軸方向に対向した螺合位置まで該雄ねじ部材と一体に共回りさせるとともに該共回りの際に、該ホルダの他の雌ねじ孔を前記他の雄ねじ部材に対向する位置に位置決めする位置決手段を設けておいて該ホルダの回転位置を規定し、以って該ホルダを前記取付基体を裏側から挟み込み可能な位置まで持ち来たして、しかる後に該取付基体の表側から該取付穴に挿通した前記他の雄ねじ部材を前記他の雌ねじ孔に螺合するとともに、各該雄ねじ部材を強く締め込んで、単一の前記ホルダを少なくとも２本の前記雄ねじ部材にて前記アダプタ本体とねじ締結し、それらアダプタ本体と該ホルダとが該取付基体を表裏両側から強く挟み込む状態に該取付基体に固定することを特徴とする物品の取付方法。
【請求項２】
請求項１において、前記物品がカウンター等の前記取付基体に設置される水栓であることを特徴とする物品の取付方法。
【請求項３】
請求項１，２の何れかにおいて、前記ホルダを、前記取付穴の周縁に沿って延びる、該取付穴に対応した湾曲形状となし、該ホルダを該取付穴に対し傾けた状態で通過させることを特徴とする物品の取付方法。
【請求項４】
請求項３において、前記ホルダの周方向長を前記取付穴の半周分以上の長さとなしておくことを特徴とする物品の取付方法。
【請求項５】
請求項３，４の何れかにおいて、前記１本の雄ねじ部材を前記ホルダの周方向の中央位置より一方の周端側に螺合して該ホルダを保持させておき、その状態で該ホルダを前記取付穴に通して該ホルダを前記取付基体を裏側から挟み込み可能な位置に持ち来たし、しかる後に前記他の雄ねじ部材を該ホルダの他方の周端側に螺合し且つ各該雄ねじ部材を強く締め込むことを特徴とする物品の取付方法。
【発明の詳細な説明】
【技術分野】
【０００１】
この発明は水栓等の物品をカウンター等の取付基体に取り付けるための取付方法に関し、詳しくはアダプタ装置を用いて水栓等物品を取付面の側から取付基体に取付・固定するためのものに関する。
【背景技術】
【０００２】
所定の物品、例えば水栓をその取付基体の取付面、例えばカウンターの上面に取り付けるための取付方法として、従来図１５に示す取付方法が採用されていた。
この取付方法は、水栓２００に設けた雄ねじ管２０２を、カウンター２０４に形成した水栓の取付穴２０６に対して取付面、即ち上面側から挿通した上、カウンター２０４の裏面側から固定ナット２０８を雄ねじ管２０２にねじ込んで水栓２００の取付けを行うといったものである。
【０００３】
しかしながらこの取付方法の場合、カウンター２０４の裏面側から固定ナット２０８の嵌込及び締付作業を行わなければならず、そのため水栓２００の取付作業性が悪く、その取付施工のために多大な手間がかかる問題があった。
【０００４】
その解決手段として、アダプタ装置をカウンターに装着し、そのアダプタ装置を介して水栓をカウンターに取り付けるといったことが考えられている。
【０００５】
図１６はそのアダプタ装置を用いた従来公知の水栓取付方法の例を示したものである（下記特許文献１に開示）。
同図において２１０はアダプタ装置であって、アダプタ本体２１２と一対のホルダ２１４及びホルダ２１４に対応した数（２本）の雄ねじ部材２１６とを含んで構成されている。
【０００６】
この取付方法の場合、一対のホルダ２１４のそれぞれの雌ねじ孔２１８に対して、対応する雄ねじ部材２１６をねじ込んでおき、そして一対のホルダ２１４を互いに内向き、つまり取付穴２０６の中心側に回転させた状態としておいて、これらホルダ２１４をカウンター２０４の上面側から水栓の取付穴２０６内部に挿入する。
【０００７】
そして一対のホルダ２１４をカウンター２０４の裏側において互いに外向きに回転させて、それら一対のホルダ２１４のそれぞれをカウンター２０４の裏面に当接させ、その状態で一対の雄ねじ部材２１６をカウンター２０４の上面側から締め込むことでアダプタ装置２１０を、そのアダプタ本体２１２とホルダ２１４とがカウンター２０４を表裏両面から挾み込む状態にカウンター２０４に装着する。
【０００８】
その後水栓２００の下端部をアダプタ本体２１２に外嵌した上、止具にて水栓２００をアダプタ本体２１２に止め付けることで、水栓２００をカウンター２０４に取付・固定する。
【０００９】
この水栓取付方法の場合、カウンター２０４の上面側からアダプタ装置２１０及び水栓２００をカウンター２０４の取付面に対して取付・固定することができる利点を有する。
【００１０】
しかしながらこの水栓取付方法の場合、一対のホルダ２１４のそれぞれが１本の雄ねじ部材２１６にてアダプタ本体２１２にねじ結合されているため、水栓２００、一般にはその吐水管２２０に対して許容範囲を超えて回転方向の力が加えられたとき、各ホルダ２１４のそれぞれがアダプタ本体２１２に対して対応する１本の雄ねじ部材２１６の軸周りに相対回転，相対変位してしまい、水栓２００が回転方向にぐらつきを生じるなど、カウンター２０４に対する水栓２００の取付穴２０６周りの回転方向の固定強度が弱いといった問題があった。
また場合によってホルダ２１４の回転によってホルダ２１４がカウンター２０４の裏面から取付穴２０６側に外れてしまう恐れがあった。
【００１１】
以上水栓をカウンター等取付基体に取り付ける場合を例として説明したが、同様の問題は水栓以外の物品を所定の取付基体に取り付けるに際して共通して生じ得る問題である。
【００１２】
【特許文献１】特開昭６３−３１２４３５号公報
【発明の開示】
【発明が解決しようとする課題】
【００１３】
本発明は以上のような事情を背景とし、アダプタ装置を用いて水栓等物品を取付基体の表面側から取付基体に且つ回転方向に強固に取り付けることができるとともに、アダプタ装置自体の取付作業性も良好な物品の取付方法を提供することを目的としてなされたものである。
【課題を解決するための手段】
【００１４】
而して請求項１の取付方法は、（イ）物品を取り付けるべき取付基体の取付面上に配置されるアダプタ本体と、（ロ）該取付基体の裏面に重なるように配置され、該アダプタ本体と協働して該取付基体を表裏両側から挾み込むホルダと、（ハ）該取付穴を挿通して該アダプタ本体とホルダとをねじ締結し、それらアダプタ本体及びホルダによる該取付基体の締付力を与える雄ねじ部材と、を含むアダプタ装置を該取付基体に装着し、該アダプタ本体に対して前記物品を連結固定することで前記取付面上に該物品を取り付けるに際して、前記ホルダを前記取付穴に対し前記取付基体の表側から裏側に通過可能な形状となしておき、先ず１本の雄ねじ部材を該ホルダに設けてある雌ねじ孔に螺合するとともに、該雄ねじ部材に加えられた回転操作力を該ホルダに伝える共回り手段にて互いに一体回転する状態で該ホルダを該雄ねじ部材にて保持した状態となし、その状態で該ホルダを該取付穴に通過可能な状態として前記取付基体の表側から裏側まで該取付穴に通し、その後に前記雄ねじ部材を回転操作することにより該ホルダを強制的に該ホルダに設けてある他の雌ねじ孔が他の該雄ねじ部材に対して軸方向に対向した螺合位置まで該雄ねじ部材と一体に共回りさせるとともに該共回りの際に、該ホルダの他の雌ねじ孔を前記他の雄ねじ部材に対向する位置に位置決めする位置決手段を設けておいて該ホルダの回転位置を規定し、以って該ホルダを前記取付基体を裏側から挟み込み可能な位置まで持ち来たして、しかる後に該取付基体の表側から該取付穴に挿通した前記他の雄ねじ部材を前記他の雌ねじ孔に螺合するとともに、各該雄ねじ部材を強く締め込んで、単一の前記ホルダを少なくとも２本の前記雄ねじ部材にて前記アダプタ本体とねじ締結し、それらアダプタ本体と該ホルダとが該取付基体を表裏両側から強く挟み込む状態に該取付基体に固定することを特徴とする。
【００１５】
請求項２の取付方法は、請求項１において、前記物品がカウンター等の前記取付基体に設置される水栓であることを特徴とする。
【００１６】
請求項３の取付方法は、請求項１，２の何れかにおいて、前記ホルダを、前記取付穴の周縁に沿って延びる、該取付穴に対応した湾曲形状となし、該ホルダを該取付穴に対し傾けた状態で通過させることを特徴とする。
【００１７】
請求項４の取付方法は、請求項３において、前記ホルダの周方向長を前記取付穴の半周分以上の長さとなしておくことを特徴とする。
【００１８】
請求項５の取付方法は、請求項３，４の何れかにおいて、前記１本の雄ねじ部材を前記ホルダの周方向の中央位置より一方の周端側に螺合して該ホルダを保持させておき、その状態で該ホルダを前記取付穴に通して該ホルダを前記取付基体を裏側から挟み込み可能な位置に持ち来たし、しかる後に前記他の雄ねじ部材を該ホルダの他方の周端側に螺合し且つ各該雄ねじ部材を強く締め込むことを特徴とする。
【発明の作用・効果】
【００１９】
上記のような本発明の取付方法によれば、物品を表側から取付基体に作業性良く良好に取付固定することができる。
そしてこの取付方法によれば、アダプタ本体と単一のホルダとを複数の雄ねじ部材にてねじ締結するため、物品取付状態において物品に対し回転方向の力が加えられても、アダプタ本体とホルダとが回転方向に相対変位せず、回転方向の固定強度が強くなる。
従って物品がカウンター等取付基体の取付面上で周方向にぐらつく問題を解消でき、或いはホルダが取付基体裏面から取付穴側に外れるといった問題を解消することができる。
またこの請求項１の取付方法では、雄ねじ部材の何れかとホルダとを螺合して仮固定し、ホルダを取付穴を通じて取付基体の裏側に位置させた状態で、その雄ねじ部材を回転操作することによってホルダを取付基体の裏側において雄ねじ部材と一体回転即ち共回りさせる工程を含んでおり、従ってこの取付方法によれば、ホルダの自由端部をアダプタ本体に対して半径方向に突き出した状態としておいて、その状態を保ちつつホルダを自由端部側から取付穴内に挿入することが可能となって、その挿入作業が容易となるとともに、取付基体の表側からの操作により、ホルダを取付基体の裏側において容易に適正角度位置まで持ち来すことができ、アダプタ装置の取付基体への取付作業を容易なものとなすことができる。
【００２０】
本発明では、雄ねじ部材によりホルダを一体回転させる際に、ホルダの他の雌ねじ孔を他の雄ねじ部材に対向する位置に位置決めする位置決手段を設けてホルダの回転位置を規定するようになすことができる。
【００２１】
本発明は特に水栓をカウンター等の取付基体に取り付けるに際して好適に適用することができる。
【発明を実施するための最良の形態】
【００２２】
次に本発明の実施形態を図面に基づいて詳しく説明する。
図１は水栓をカウンター（取付基体）に取り付けた状態で示している。この図において１０は物品としての水栓、１２はカウンターである。
水栓１０は、カウンター１２から直立する水栓本体１４と、水栓本体１４から延び出し、先端の吐水口１６から吐水を行う吐水管１８及び水栓本体１４の上部に回転操作可能に設けられた操作レバー２０とを有している。
【００２３】
吐水管１８は、水栓本体１４に回転可能に備えられた円筒部２２にその基端部が固定されており、その円筒部２２と一体に吐水管１８が左右方向に回転可能とされている。
尚、水栓本体１４には吐水管１８の左右方向の回動端を規定するストッパ部（図示省略）が設けられており、吐水管１８はそれらストッパ部にて規定される角度範囲内においてのみ左右方向に回転可能とされている。
【００２４】
水栓１０は、カウンター１２に設けた水栓取付穴（取付穴）２４においてカウンター１２に取り付けられている。
２６は、水栓１０に対して水，湯を供給するためのサプライ管であって、水栓取付穴２４を挿通して水栓本体１４にその上端部が接続されている。
図２に示しているように、水栓１０はアダプタ装置２８によってカウンター１２に取り付けられている。
【００２５】
図４，図５，図６，図７，図８はそのアダプタ装置２８の構成を具体的に示している。
このアダプタ装置２８は、図４に示しているようにアダプタ本体３０とホルダ３２及び一対の雄ねじ部材３４，３６を有している。
【００２６】
アダプタ本体３０は、カウンター１２の上面（取付面）に着座してカウンター１２を上面側から挟み込む部材であって、全体として円筒形状をなしており、カウンター１２上面への着座面の側に、全周に亘って外向きのフランジ部３８が形成されている。そしてこのフランジ部３８の下面において、リング状パッキン４０を介してカウンター１２の上面に液密に着座当接させられている。
尚、アダプタ本体３０の下面には環状突起４２が下向きに形成されている。リング状パッキン４０はこの環状突起４２に対して嵌合状態にアダプタ本体３０の下面に装着されている。
【００２７】
一方アダプタ本体３０の外周面には、上下２段に環状のシール溝４４が形成されており、そこにリング状パッキン４６が装着されている。アダプタ本体３０はこれらリング状パッキン４６を介して、水栓本体１４における下端部の後述の円筒部４８（図２）の内周面に液密に嵌合接触されている。
【００２８】
アダプタ本体３０の内周面には、内向きに突出する半円形状のボス部５０（本実施形態では２個所）が設けられている（図８参照）。これらボス部５０には、図６，図８に示しているようにこれを上下方向に貫通する挿通孔５２が形成されており、そこに前記雄ねじ部材３４，３６が上側から下向きに挿通されている。
【００２９】
アダプタ本体３０の内周面には、また、周方向に所定間隔を隔てた４個所において、半円形状の突出部５４が形成されている（図８参照）。そしてアダプタ本体３０の下部には、それら突出部５４をフランジ部３８の下面よりも下向きに突出させて成るガイド突起５６が形成されている。
これらガイド突起５６は、アダプタ本体３０を上記水栓取付穴２４においてカウンター１２に取り付ける際に、水栓取付穴２４と所定のクリアランスをもって嵌合し、アダプタ本体３０を位置決めガイドするものである。
【００３０】
これらガイド突起５６によって、アダプタ本体３０を簡単に適正位置にセットすることができる。即ち、アダプタ本体３０の下面を正しく水栓取付穴２４周りのカウンター１２上面上に着座させることができ、アダプタ本体３０が水栓取付穴２４に対して偏った位置にセットされるのを防止できる。これによりアダプタ本体３０とカウンター１２の上面との間に広い接触面積、つまりシール面積を確保することができる。
【００３１】
上記ホルダ３２は、図２及び図４に示しているようにカウンター１２の裏面側からこれを挟み込む部材であって、その上面には周方向全長に亘って複数の係合歯５８が形成されており、これら係合歯５８がカウンター１２の裏面に強く押圧されるようになっている。
ホルダ３２は全体として湾曲形状、詳しくは略円弧形状をなしており、その周方向長は水栓取付穴２４の半周以上の長さとされている。
【００３２】
このホルダ３２には、その周方向両端部近傍位置において内方に突出する突出部６０，６２が設けられている。これら突出部６０，６２には、図６に示しているようにこれを上下に貫通する雌ねじ孔６４が形成されており、それら雌ねじ孔６４に対して上記一対の雄ねじ部材３４，３６のそれぞれがねじ込まれるようになっている。
【００３３】
尚、一方の突出部６２は他方の突出部６０よりも下側位置に形成されており、その上面には位置決手段としての略半円形状の弾性クリップ（当接部）６６が設けられている。この弾性クリップ６６は、その中心を丁度上記雌ねじ孔６４の中心と一致する向き及び位置に形成されている。
【００３４】
上記一対の雄ねじ部材３４，３６のうちの一方の雄ねじ部材３４は他方の雄ねじ部材３６よりもその長さが一定寸法長くされており、雄ねじ部材３６がホルダ３２における雌ねじ孔６４に達しない状態において、一方の雄ねじ部材３４が対応する雌ねじ孔６４に螺合され且つその先端がホルダ３２より下向きに突出するようになっている。而してそのホルダ３２から下向きの突出した雄ねじ部材３４の先端部にはナット６８（図６，図１１）が螺合されている。
【００３５】
このナット６８は、ホルダ３２の脱落防止のためのものであって、同時にカウンター１２への装着前の状態においてホルダ３２を雄ねじ部材３４と共回りさせるためのロックナット（抵抗体）としての働きも兼ねている。
【００３６】
次に本実施形態におけるアダプタ装置２８のカウンター１２への取付手順を図９ないし図１１に基づいて説明する。
先ず図９（Ｉ）に示しているようにアダプタ本体３０の挿通孔５２に対して長い方の雄ねじ部材３４を挿通し、これをホルダ３２の一方の雌ねじ孔６４に且つその下端部がホルダ３２より下向きに突出する状態まで螺合しておく。そしてその下向きに突出した下端部に対してナット６８を螺合し、これを一杯まで締め付けておく。このときナット６８はロックナットとして働き、ホルダ３２が雄ねじ部材３４と一体回転、つまり共回りする状態となる。
【００３７】
さて図９（Ｉ）に示しているようにホルダ３２を雄ねじ部材３４を中心として右方向に回転させた状態としておき、即ちホルダ３２の自由端部がアダプタ本体３０に対して半径方向に突き出した状態としておいて、図９（II）に示しているようにアダプタ装置２８全体を傾け、その状態でホルダ３２を自由端部側から水栓取付穴２４の内部に挿入する。
このようにすることによって、ホルダ３２を容易に水栓取付穴２４内に挿入し且つこれをカウンター１２の裏側に位置させることができる。
【００３８】
続いて図１０（III）に示しているように雄ねじ部材３４を回転操作してホルダ３２をカウンター１２の裏側において一体に回転させる。つまり共回りさせる。
而してホルダ３２が適正位置まで回転移動すると、そこで弾性クリップ６６が、予めアダプタ本体３０の他方の挿通孔５２に挿通してある短い方の雄ねじ部材３６に弾性嵌合し、当接した状態となる。ここにおいて突出部６２に形成した雌ねじ孔６４が、正しく短い方の雄ねじ部材３６に丁度対向した状態となる。
【００３９】
そこで図１１（IV）に示しているように雄ねじ部材３６を対向状態の雌ねじ孔６４にねじ込むとともに、一対の雄ねじ部材３４及び３６を更にねじ込んで行くことで、ホルダ３２を図１１（IV）の位置から上方に引き寄せ、カウンター１２の裏面、詳しくは水栓取付穴２４の周辺に沿った裏面に当接させる（図７）。
【００４０】
更に引き続く雄ねじ部材３４，３６のねじ込み操作によって、アダプタ本体３０とホルダ３２とがカウンター１２を表裏両側から強く挟み込む状態となり、ここにおいてアダプタ装置２８がカウンター１２に装着された状態となる。
【００４１】
尚このとき、アダプタ本体３０のガイド突起５６が水栓取付穴２４の内周面に所定のクリアランスで嵌合状態となり、またアダプタ本体３０のフランジ部３８の下面がリング状パッキン４０を介してカウンター１２の上面に水密に所定の押圧力をもって着座した状態となる。図７はこのときの状態を示している。
尚、図７に示しているように雄ねじ部材３４のねじ込みによって上記ナット６８はロックナットとしての機能が開放され、その後はホルダー３２の落下防止部材としてのみ作用する。
【００４２】
さてこのようにしてアダプタ装置２８をカウンター１２に装着したら、次に図３に示しているように水栓本体１４の下端部の円筒部４８をアダプタ本体３０に対して外嵌し、止ビス７０を、水栓本体１４に回転可能に装着したカバーリング７２の開口７４及び円筒部４８の開口７６を通じてアダプタ本体３０の雌ねじ孔７８にねじ込む。ここにおいて水栓本体１４とアダプタ本体３０とが回転不能に互いに連結固定された状態となる。
【００４３】
そこで次にカバーリング７２を回転操作して、水栓本体１４における円筒部４８の開口７６及び止ビス７０を隠蔽するとともに、そのカバーリング７２の開口７４に対して化粧キャップ８０を嵌め込んで開口７４を閉鎖する（図２参照）。
【００４４】
本実施形態によれば、単一のホルダ３２に対して２本の雄ねじ部材３４，３６を螺合してこれをアダプタ本体３０とねじ締結することから、水栓１０の取付状態において水栓１０に対し回転方向の力が加えられてもホルダ３２がアダプタ本体３０に対して回転方向に相対変位せず、回転方向において強い固定強度が得られる。従って水栓１０がカウンター１２上で同方向にぐらついたり、ホルダ３２が水栓取付穴２４側に外れたりする不具合を解消することができる。
【００４５】
また上記ホルダ３２の形状を、水栓取付穴２４の周縁に沿って延びる略円弧形状となし且つ周方向長を大きくしているため、ホルダ３２を広範囲に亘って、即ち周方向に長い距離に亘ってカウンター１２の裏面に当接させることができ、従ってホルダ３２とアダプタ本体３０とによるカウンター１２の挾持力を十分大きくすることができる。
従ってこの取付方法によれば、アダプタ装置２８に対して１つのホルダ３２だけを設けておくことが可能であり、部品点数を少なくすることができる。
【００４６】
またホルダ３２が周方向に長いものとされているため、アダプタ本体３０とホルダ３２とを周方向に大きく離れた部位において互いに雄ねじ部材３４，３６にて締結でき、アダプタ本体３０とホルダ３２との回転方向の耐変形抵抗力、ひいては回転方向の強度を効果的に強くすることができる。
【００４７】
更にホルダ３２が水栓取付穴２４に対応した円弧形状をなしていることから、その水栓取付穴２４にサプライ管２６等を通す際にそのホルダ３２が邪魔とならず、水栓取付穴２４内部に広いスペースを確保できる。
【００４８】
また本実施形態では、雄ねじ部材３６と雌ねじ孔６４とを対向させる状態にホルダ３２を位置決めする位置決手段としての弾性クリップ６６を設けていることから、ホルダ３２を回転操作して雄ねじ部材３６を雌ねじ孔６４にねじ込み操作するときに簡単にこれを行うことができる。
加えて、その際弾性クリップ６６が雄ねじ部材３６に弾性的に嵌まり合って位置ずれ防止するため、ホルダ３２を回転操作して所定位置に位置決めし、且つその状態で雄ねじ部材３６を雌ねじ孔６４にねじ込み操作するときに一旦位置決めしたホルダ３２が位置ずれするといったことがなく、位置決め状態を確実に保ちながら雄ねじ部材３６を雌ねじ孔６４にねじ込み操作することができる。
【００４９】
加えて本実施形態の場合、図９（Ｉ）に示す状態でホルダ３２を水栓取付穴２４に挿通してこれを回転操作する際、ナット６８によるロックナットとしての作用によって雄ねじ部材３４を回転操作するだけでホルダ３２を一体に回転操作することができ、ホルダ３２をカウンター１２の裏側において容易にこれを適正角度位置まで持ち来すことができる。
尚、ホルダ３２を雄ねじ部材３４と共回りさせるための手段として、雄ねじ部材３４又は雌ねじ孔６４にコーティング材或いはグリース等を塗ってそれらの間の摩擦力を高める方法を用いることができる。
【００５０】
更に本実施形態ではアダプタ本体３０のカウンター１２への着座面側に周方向全長に亘ってフランジ部３８を設けているため、アダプタ本体３０とカウンター１２上面との間で広い接触面積、即ちシール面積を確保することができる。
【００５１】
次に図１２は本発明の他の実施形態を示したもので、この例はホルダ３２の側に円弧形状のストッパ部９０を雌ねじ孔６４の周縁部において立ち上げ、このストッパ部９０を雄ねじ部材３６に当接させることによって、ホルダ３２の回転方向の位置決めをなすようにしたものである。
この場合において、雄ねじ部材３６を磁性体で構成し、またストッパ部９０をマグネットにて構成し或いはマグネットを装着しておくことで、雄ねじ部材３６とマグネットとの磁着力により、雄ねじ部材３６とストッパ部９０とのがたつきをなくすことができる。
【００５２】
図１３は本発明の更に他の実施形態を示したもので、この例はアダプタ本体３０から長いプレート状のストッパ部８２を垂下させ、このストッパ部８２を、ホルダ３２の内面に当接させることによって、雄ねじ部材３６とホルダ３２の雌ねじ孔６４とが正しく対向する状態に、ホルダ３２を位置決めするようになした例である。
【００５３】
図１４は本発明の更に他の実施形態を示したもので、具体的には本発明を水栓以外の物品に適用した例を示している。
同図において１１０は物品としての手摺りであって、この手摺り１１０の端部は円筒部１１１とされている。
そして手摺り１１０は、取付基体としての壁１１２に設けた取付穴１１６において、アダプタ装置２８を用いて壁１１２に取り付けられる。
【００５４】
具体的には、壁１１２に対してアダプタ装置２８を装着し、そのアダプタ装置２８のアダプタ本体３０に対して円筒部１１１を嵌合し、更に例えばアダプタ本体３０の雌ねじ孔１２２に円筒部１１１の開口１２０を通じて止めビス１１８をねじ込むことで手摺り１１０を壁１１２に取付固定することができる。
【００５５】
尚、この例におけるアダプタ装置２８のホルダ９６は直状且つ長手形状をなしている。但しこのホルダ９６は、中間部９８と、中間部９８とは別体の長手方向の両端部１００，１００とを備えている。
両端部１００，１００は、中間部９８に対して長手方向にスライド移動可能とされている。即ち、この例ではホルダ９６が長手方向に伸縮可能とされている。
【００５６】
而してこの例のホルダ９６の場合、長手方向の最大寸法、つまり両端部１００，１００が互いに離間するようにスライド移動した状態の寸法では水栓取付穴２４の直径よりも長く、また長手方向の最小寸法、つまり両端部１００，１００が互いに接近するようにスライド移動した状態の寸法では水栓取付穴２４の直径よりも短くなるように伸縮量が選ばれている。
但しアダプタ装置２８として図１〜図１３に例示したものを適用しても良い。
【００５７】
以上本発明の実施形態を詳述したがこれはあくまで一例示であり、本発明は例えば水栓，手摺り以外の物品を取り付けるに際しても適用できるなど、その主旨を逸脱しない範囲において種々変更を加えた態様で実施可能である。
【図面の簡単な説明】
【００５８】
【図１】本発明の一実施形態である水栓取付方法に従って水栓をカウンターに取り付けた状態を示す図である。
【図２】図１における要部を拡大して示す図である。
【図３】図２における要部を水栓とアダプタ装置とに分解して示す図である。
【図４】図３におけるアダプタ装置の構成を示す図である。
【図５】同アダプタ装置におけるアダプタ本体を下面側から示す斜視図である。
【図６】同アダプタ装置をアダプタ本体とホルダ及び雄ねじ部材とに分解して示す図である。
【図７】同アダプタ装置をカウンターに取り付けた状態で示す図である。
【図８】同アダプタ装置におけるアダプタ本体の平面図である。
【図９】同アダプタ装置のカウンターへの取付手順の一部を示す図である。
【図１０】同アダプタ装置のカウンターへの取付手順の図９に続く工程を示す図である。
【図１１】同アダプタ装置のカウンターへの取付手順の図１０に続く工程を示す図である。
【図１２】本発明の他の実施形態の要部を示す図である。
【図１３】本発明の更に他の実施形態の要部を示す図である。
【図１４】本発明の更に他の実施形態を示す図である。
【図１５】従来の水栓取付方法の一例を示す図である。
【図１６】アダプタ装置を用いた水栓取付方法の従来の例を示す図である。
【符号の説明】
【００５９】
１０  水栓（物品）
１２  カウンター（取付基体）
２４  水栓取付穴（取付穴）
２８  アダプタ装置
３０  アダプタ本体
３２  ホルダ
３４，３６  雄ねじ部材
６６  弾性クリップ（位置決手段）
６８  ロックナット（共回り手段）
１１０  手摺り（物品）
１１２  壁（取付基体）
１１６  取付穴
【図１】
2006090128.tif 000003
【図２】
2006090128.tif 000004
【図３】
2006090128.tif 000005
【図４】
2006090128.tif 000006
【図５】
2006090128.tif 000007
【図６】
2006090128.tif 000008
【図７】
2006090128.tif 000009
【図８】
2006090128.tif 000010
【図９】
2006090128.tif 000011
【図１０】
2006090128.tif 000012
【図１１】
2006090128.tif 000013
【図１２】
2006090128.tif 000014
【図１３】
2006090128.tif 000015
【図１４】
2006090128.tif 000016
【図１５】
2006090128.tif 000017
【図１６】
2006090128.tif 000018